(57)【要約】      （修正有）【課題】吊り戸体が全開姿勢で、戸袋体と吊り戸体とが一体に揺動して開口部を全開するようにした引戸装置に関するもので、戸袋体を急激に開放揺動しても、吊り戸体が戸袋体から跳び出すことがない引き戸装置を提供する。【解決手段】開口部の一側部を閉鎖する戸袋体２と、該戸袋体に沿って開口部の他側部を開閉するよう構成された吊り戸体を備え、吊り戸体が開口部の他側部を全開する全開姿勢で、戸袋体と吊り戸体とが開放揺動して開口部を全開するようにした引き戸装置において、吊り戸体の開閉途中での戸袋体の開放揺動を阻止する開放防止装置６０と、戸袋体と吊り戸体が開放揺動する時、吊り戸体が戸袋体からの飛び出すのを阻止する飛び出し防止装置を有するものである。【選択図】図１０
2008127974.tif 000002
【特許請求の範囲】
【請求項１】
開口部の一側部を閉鎖する戸袋体と、該戸袋体に沿って開口部の他側部を開閉するよう構成された吊り戸体を備え、吊り戸体が開口部の他側部を全開する全開姿勢で、戸袋体と吊り戸体とが開放揺動して開口部を全開するようにした引き戸装置において、吊り戸体の開閉途中での戸袋体の開放揺動を阻止する開放防止装置と、戸袋体と吊り戸体が開放揺動する時、吊り戸体が戸袋体からの飛び出すのを阻止する飛び出し防止装置を有することを特徴とする引き戸装置。
【請求項２】
開放防止装置は、吊り戸体の戸先側端部に設けられた作動部材と、戸袋体の出入口側端部に設けられた係合部材と、引き戸装置の上枠に設けられた係止部材よりなり、係合部材は係止部材に係止されて常時は戸袋体の開放揺動を防止し、作動部材は、吊り戸体の全開状態で係合部材に作用し、係合部材と係止部材の係止状態を解除し、戸袋体と吊り戸体の開放揺動を可能とする事を特徴とする請求項１に記載の引戸装置。
【請求項３】
飛び出し防止装置は、係合部材に設けられた吊り戸体の全開状態を保持する吊り戸体保持部と、引き戸装置の上枠に設けられたロック解除部材と、ロック解除部材と係合部材に連係して戸袋体に設けられたロック部材よりなり、係合部材が係止部材との係止状態を解除された姿勢で吊り戸体保持部は作動部材を保持し、戸袋体と吊り戸体が開放揺動した時、ロック解除部材から離間して、吊り戸体保持部が作動部材を保持した状態を維持する姿勢にロック部材が変移する事を特徴とする請求項２に記載の引戸装置。
【発明の詳細な説明】
【技術分野】
【０００１】
本発明は、開口部の一側部を閉鎖する戸袋体と、該戸袋体に沿って開口部の他側部を開閉するよう構成された吊り戸体を備え、吊り戸体が開口部の他側部を全開する全開姿勢で、戸袋体と吊り戸体とが一体に揺動して開口部を全開するようにした引戸装置に関するものである。
【背景技術】
【０００２】
従来、この種の引戸装置は、吊り戸体が開口部の他側部を全閉する全閉姿勢で、戸袋体の揺動を規制する規制手段は、吊り戸体の戸尻と戸袋体の戸先にそれぞれ設けられた吊り戸体の全閉に伴い互いに係止する係止片より構成され、戸袋体側の係止片は、戸袋体の下端部に設けられ、吊り戸体の振れ止めをする振れ止め体が設けられる支持ブラケットに一体に形成されていた。（例えば、特許文献１参照。）
【０００３】
このため、吊り戸体の全閉姿勢において戸袋体の落し錠が開錠されても、吊り戸体による揺動規制を受け、不用意に戸袋体が開放するようなことはないが、吊り戸体も戸袋体も落し錠が開錠された状態で、建物等の固定側に一切係止されていないので、ローラーとレールの係合でのみ、戸袋体の開放揺動を阻止することとなり非常に不安定であった。
又、吊り戸体が全開された状態を維持するのは、エンドストッパーとストッパ受け体であるので、引き戸の全開状態で、戸袋体と吊り戸体を開放揺動させると、遠心力によって戸袋体から吊り戸体が飛び出す事があった。
【０００４】
【特許文献１】特開２００５−４８５３９号公報
【発明の開示】
【発明が解決しようとする課題】
【０００５】
本発明は、従来の問題点に鑑みて、戸袋体の落し錠が不用意に開錠されていても、安定良く吊り戸体が開閉できるだけでなく、戸袋体は開放揺動する恐れが一切なく、しかも、吊り戸体が全開状態となったときにのみ、戸袋体と吊り戸体が、落し錠を開錠することで開放揺動することができ、さらに、戸袋体を急激に開放揺動しても、遠心力によって吊り戸体が戸袋体から跳び出すことがない引き戸装置を提供することを課題とする。
【課題を解決するための手段】
【０００６】
そこで、上記課題を解決する為、本発明が第１の手段として構成したところは、開口部の一側部を閉鎖する戸袋体と、該戸袋体に沿って開口部の他側部を開閉するよう構成された吊り戸体を備え、吊り戸体が開口部の他側部を全開する全開姿勢で、戸袋体と吊り戸体とが開放揺動して開口部を全開するようにした引き戸装置において、吊り戸体の開閉途中での戸袋体の開放揺動を阻止する開放防止装置と、戸袋体と吊り戸体が開放揺動する時、吊り戸体が戸袋体からの飛び出すのを阻止する飛び出し防止装置を有するものである。
【０００７】
次に本発明が第２の手段として構成したところは、上記第１の手段として構成したところに加え、開放防止装置は、吊り戸体の戸先側端部に設けられた作動部材と、戸袋体の出入口側端部に設けられた係合部材と、引き戸装置の上枠に設けられた係止部材よりなり、係合部材は係止部材に係止されて常時は戸袋体の開放揺動を防止し、作動部材は、吊り戸体の全開状態で係合部材に作用し、係合部材と係止部材の係止状態を解除し、戸袋体と吊り戸体の開放揺動を可能とするものである。
【０００８】
次に本発明が第３の手段として構成したところは、上記第２の手段として構成したところに加え、飛び出し防止装置は、係合部材に設けられた吊り戸体の全開状態を保持する吊り戸体保持部と、引き戸装置の上枠に設けられたロック解除部材と、ロック解除部材と係合部材に連係して戸袋体に設けられたロック部材よりなり、係合部材が係止部材との係止状態を解除された姿勢で吊り戸体保持部は作動部材を保持し、戸袋体と吊り戸体が開放揺動した時、ロック解除部材から離間して、吊り戸体保持部が作動部材を保持した状態を維持する姿勢にロック部材が変移するものである。
【発明の効果】
【０００９】
請求項１に記載の発明によると、戸袋体の開放防止装置と吊り戸体の飛び出し防止装置を有しているので、不用意に戸袋体の落し錠が開錠されていても、吊り戸体の開閉途中、あるいは全閉時に、戸袋体と吊り戸体が開放揺動することがないので、非常に安全である。
さらに、吊り戸体の全開時に戸袋体と吊り戸体が開放揺動しても吊り戸体が戸袋体から飛び出すことがないので安全な状態で使用する事ができる。
【００１０】
請求項２に記載の発明によると、前記効果に加え、開放防止装置は、作動部材と係合部材と係止部材より構成され、係合部材は戸袋体に設けられ、係止部材は上枠に設けられ、常時、係合部材は係止部材に係止されているので、戸袋体は開放揺動する事がなく安全であり、作動部材は吊り戸体の戸先側端部に設けられ、吊り戸体の全開状態で、係合部材に作用して、係合部材と係止部材の係止状態を解除するので、吊り戸体の全開姿勢の時にのみ、戸袋体と吊り戸体を開放揺動する事ができ、したがって、吊り戸体が開放途中あるいは全閉状態で開放揺動する時と比較すると開放時に大きなスペースを必要としない。              
又、係合部材は戸袋体の出入口側端部に設けられているので、戸袋体の開放揺動の中心部分から最も遠い位置で係止部材と係止することとなり、不用意に戸袋体の落し錠が開錠されても戸袋体のガタツキは小さくてすむ。
【００１１】
請求項３に記載の発明によると、前記効果に加え飛び出し防止装置は、係合部材の吊り戸体保持部と、ロック部材と、ロック解除部材から構成され、ロック部材は、ロック解除部材から離間した時（吊り戸体と戸袋体が開放揺動した時）、吊り戸体保持部が吊り戸体を全開状態で保持した状態を維持する姿勢に変移し、又、係合部材とロック部材は互いに戸袋体に設けられているので、吊り戸体と戸袋体が開放揺動しても、係合部材のロック姿勢は変化せず、吊り戸体が戸袋体から飛び出すのを防止する事ができ、安全に開放作業ができる。
【００１２】
又、ロック解除部材は上枠に設けられているので、戸袋体と吊り戸体が閉鎖揺動して、ロック部材の一部がロック解除部材に押し付けられる位置に達するだけで、ロック部材は、引き戸保持部（係合部材）が作動部材の保持状態を解除する姿勢に変移可能な姿勢となり、この状態で、吊り戸体は閉鎖可能かつ開放揺動可能となる。すなわち、吊り戸体を全開姿勢にした状態で、戸袋体の落し錠が開錠されていれば、吊り戸体は、安全かつ容易に閉鎖可能でかつ開放揺動可能となり、使い勝手が非常に良い。
【発明を実施するための最良の形態】
【００１３】
本発明は、開口部の一側部を閉鎖する戸袋体と、該戸袋体に沿って開口部の他側部を開閉するよう構成された吊り戸体を備え、吊り戸体が開口部の他側部を全開する全開姿勢で、戸袋体と吊り戸体とが開放揺動して開口部を全開するようにした引き戸装置において、吊り戸体の開閉途中での戸袋体の開放揺動を阻止する開放防止装置と、戸袋体と吊り戸体が開放揺動する時、吊り戸体が戸袋体からの飛び出すのを阻止する飛び出し防止装置を有し、開放防止部材は、吊り戸体の戸先側端部に設けられた作動部材と、戸袋体の出入口側端部に設けられた係合部材と、引き戸装置の上枠に設けられた係止部材よりなり、係合部材は係止部材に係止されて常時は戸袋体の開放揺動を防止し、作動部材は、吊り戸体の全開状態で係合部材に作用し、係合部材と係止部材の係止状態を解除し、戸袋体と吊り戸体の開放揺動を可能とし、飛び出し防止装置は、係合部材に設けられた吊り戸体の全開状態を保持する吊り戸体保持部と、引き戸装置の上枠に設けられたロック解除部材と、ロック解除部材と係合部材に連係して戸袋体に設けられたロック部材よりなり、係合部材が係止部材との係止状態を解除された姿勢で吊り戸体保持部は作動部材を保持し、戸袋体と吊り戸体が開放揺動した時、ロック解除部材から離間して、吊り戸体保持部が作動部材を保持した状態を維持する姿勢にロック部材が変移するものである。
【実施例】
【００１４】
以下、第実施例を添付図面に基づいて詳述する。
図１において、符号１は壁面に形成されて開口部内に配設された引戸枠を示し、符号２は、引き戸枠１の開口部の一側部を閉鎖する戸袋体を示し、符号３は戸袋体２に沿って開口部の他側部を開閉するように構成された吊り戸体を示している。
以下、引き戸枠１内（開口部）で戸袋体２が位置する側を戸袋側、吊り戸体３が全閉状態で位置する側を出入口側と云う。
引戸枠１は、図１から図５に示すように、建物側の鉄骨１１・・・にブラケット１２・・・を介して固定された戸尻側縦枠１３および戸先側縦枠１４と、戸尻側縦枠１３と戸先側縦枠１４の上端間に連結座を介して配設された上枠１５より門形に形成されている。
【００１５】
戸袋体２は、戸尻側縦枠１３側の室内側上下端部と、上枠１５の戸尻側縦枠１３側の室内側端部と戸尻側縦枠１３の室内側下端部間に設けられた上下のピボットヒンジ２１、２１にて室内側に開放揺動可能に引き戸枠１の室内側に設けられている。
そして、出入口側の上下端部の内部には落し錠（フランス落し）２００、２００が設けられ、その操作部２０、２０が上下端部の出入口側端面に臨んで設けられている。
すなわち、落し錠２００、２００によって、戸袋体２の出入口側の上下端部は上枠１５と床面に固定された状態となっている。
又、戸袋体２の上端部室外側内面には断面Ｌ字形の開放側レール２２が戸袋側全幅に渡って取付けられている。
一方、上枠１５の出入口側下面にはレール取付材２３が出入口側ほぼ全幅に渡って設けられ、レール取付材２３の室外側には、開放側レール２２の出入口側に一直線上に連続する開放側レール２２と同形の固定側レール２４が取付けられている。
【００１６】
吊り戸体３は、戸袋体２の出入口側端部で室外側に突出して設けられた支持ブラケット２５の振れ止めローラー２６が嵌合する嵌合凹溝３１が、下端部に下面が開口して形成され、断面下向きコ字形の嵌合保持部材３２が上端部に嵌合し、嵌合保持部材３２の開閉側端部の上面に取付けられた戸尻側吊り座３３と、戸先側端部上面に取付けられた作動部材４に回転自在に設けられた、戸尻側滑車３５と戸先側滑車３６が、前記開放側レール２２、固定側レール２３に上方から嵌合載置され、開閉方向に移動自在に吊り下げられている。
そして、自閉機構によって吊り戸体３には常に閉鎖方向の走行力が付与されている。
【００１７】
すなわち、自閉機構は、戸尻側吊り座３３に設けられた自閉用滑車５１と、一端が、戸袋体３の上端から出入口側に突出して連設された、戸袋体２と一体の戸袋突部２７の室外側に固定され、自閉用滑車５１の戸尻側縦枠１３側に掛け渡され、他端に錘５３が取付けられ、吊り戸体３の開閉によって吊り戸体３の戸尻側の内部に形成された上下方向の自閉用空間５０内（図７に示す。）を錘５３と共に昇降するワイヤー５４より構成されている。
そして、符号３５１、３６１は、戸尻側吊り座３３と作動部材４に螺合されて、固定側レール２４、移動側レール２３の下方に突出し、戸尻側滑車３５と戸先側滑車３６が浮き上がって脱輪するのを防止する上がり止めネジを示している。
【００１８】
尚、符号８３は、戸尻側吊り座３３と、作動部材４に設けられた化粧パネル取付座８４、８５に着脱自在に連結された化粧パネルを示し、吊り戸体３が戸袋体２と共に室内側に開放された時、吊り戸体３に取付けられた戸尻側吊り座３３と、作動部材４等を隠蔽するための化粧パネルを示し、符号８６は、戸尻側縦枠１３、戸先側縦枠１４の上端間の室外側に連結されたランマパネルを示し、符号８７は、レール取付材２３の室外側の所定位置に設けられた上下の取付座２３１・・・を介して着脱自在に取付けられた点検パネルを示している。符号８８はランマパネル８６、壁面等の表面に貼られた化粧ボードを示している。
【００１９】
引き戸枠１と戸袋体２と吊り戸体３等は、上記の如く構成され、図１に示す状態から、吊り戸体３を開放すると、戸尻側吊り座３３に取付けられた山側の全開ストッパー３３１が上枠１５の戸尻側縦枠１３側端部に取付けられた、板バネ材の開放側にローラーを設けて構成された全開ストッパー受け３３２と係合し、全開状態が維持される。
次に、全開ストッパー受け３３２の弾性による保持力より大きい力で吊り戸体３を閉鎖方向に移動させ、全開ストッパー受け３３２と全開ストッパー３３１の係合状態を解除する、自閉機構５によって吊り戸体３は自閉し、出入口側を全閉状態とする手前で、吊り戸体に設けたブレーキ当たり３２１がレール取付材２３の戸先側縦枠１４側端部の室外側に取付けたエアーシリンダー３２２のピストンロッドの先端に衝突し、自閉スピードを減少させながら全閉状態となる。
尚、ブレーキ当たり３２１、エアーシリンダー３２２からなるブレーキ作用はすでに周知であるので詳細な説明は省略する。
【００２０】
そして、戸袋体２の落し錠２００、２００が不測に開錠されていたとしても、吊り戸体３の全閉状態及び開閉途中で、戸袋体２が開放揺動しないように、戸袋体２の開放側端部上端の室外側に設けられた係合部材６と、係合部材6に対応して上枠１５に設けられた係止部材７と、吊り戸体３の全開状態で係合部材６に作用し、係合部材６と係止部材７の係止状態を解除し、戸袋体２と吊り戸体３の開放揺動を可能とする作動部材４よりなる開放防止装置６０が戸袋体２に構成されている。
【００２１】
さらに、吊り戸体３が全開状態で、（全開ストッパー受け３３２と全開ストッパー３３１の係合状態となった時）戸袋体２が開放揺動可能状態となり、戸袋体２を開放揺動した時、吊り戸体３が戸袋体２との重合状態から遠心力で飛び出すのを防止する飛び出し防止装置７０が吊り戸体３と戸袋体２間に構成されている。
飛び出し防止装置７０は、係合部材６に設けられた吊り戸体３の全開状態を保持する吊り戸体保持部６１と、上枠１５に設けられたロック解除部材８１と、ロック解除部材８１と係合部材７に連係する戸袋体２に設けられたロック部材８より構成されている。
【００２２】
開放防止装置６０の作動部材４は、嵌合保持部材３２の上端面に取付けられた上方に突出する略Ｌ字形の作動用基板４１と、作動用基板４１の戸尻側縦枠１４側の端部上端の室内側に回転部材に設けられたゴム製の作動用ローラー４２から構成されている。
そして、作動用基板４１の戸先側縦枠１３側の端部の室内側に戸先側滑車３６が回転自在に設けられている。
【００２３】
係合部材６は、戸袋体２の出入口側端部の室外側に取付けられた係止部材固定座６１に回動自在に取り付けられた係合基板６２と、係合基板６２の出入口側端部に形成された上方に突出する係止突部６３と、戸尻側縦枠１３側の端部に連設された戸尻側縦枠１３方向に向かって突出するロック用突片６４と、係合基板６２の回動中心の下方でやや戸尻側縦枠１３よりで、前記作動用ローラー４２が出入口側から当接する位置に一体的に形成された室外側に突出する回動用作動部６５と、吊り戸体３の全閉状態で作動用ローラー４２の出入口側に位置して、回動用作動部６５と共に略ハの字形となる位置に一体的に形成された室外側に突出する吊り戸体保持部６６を有し、係止部材固定座６１の出入口側端部と係合基板６２の出入口側端部間に張設された引張りバネ６７によって、常に、吊り戸体保持部６６が、作動用ローラー４２の通過位置より上方の水平位置で、回動用作動部６５が作動用ローラー４２に当接する位置となるよう、係合部材６は常に回動力を付与されている。
【００２４】
係止部７は、下向き係止突部７１を有する逆Ｌ字形で、下向き係止突部７１が前記係合部材６の係止突部６３の室外側に近接して重合するよう、上枠１５の下面に取付けられている。
すなわち、係止突部６３（係合部材６）が下向き係止突部７１（係止部材７）の室外側に近接して位置しているので、戸袋体２の落し錠２００、２００が開錠されても、戸袋体２に設けられた係合部材６（係止突部６３）が、上枠１５（引き戸装置の固定側）に設けられた係止部材７（下向き係止突部７１）に係止するので、戸袋体２が室内側に開放揺動する事はない。
【００２５】
そして、吊り戸体３が開放して全開間際に、作動部材４の作動用ローラー４２が係合部材６の回動用作動部６５に衝突し、さらに、開放して全開位置まで移動するとそれに伴って、作動用ローラー４２が回動用作動部６５を戸尻側縦枠１３方向に押しやることにより、係合部材６を図８で時計回りの方向に回動させる。したがって、係合部材６の係止突部６３は下方に移動し、下向き係止突部７１（係止部７）の下側に位置する。（図１０に示す状態）
【００２６】
この状態で、全開ストッパー受け３３２と全開ストッパー３３１が係合し、吊り戸体３は、全開状態が維持されるとともに、落し錠２００、２００が開錠されると、戸袋体２は、係止部材７（下向き係止突部７１）と係合部材６（係止突部６３）の係止状態が解除されているから、開放側レール２２に吊り戸体３を吊り下げた状態で室内側に開放揺動自在となる。
【００２７】
一方、上記の状態で戸袋体２を開放揺動すると全開ストッパー受け３３２と全開ストッパー３３１の係合だけでは、戸袋体２に吊り戸体３を重合した状態で保持することができず、遠心力によって吊り戸体３が戸袋体２から飛び出す恐れがあるので、吊り戸体３の飛び出しを防止するための飛び出し防止装置７０が構成されている。
【００２８】
飛び出し防止装置７０は、係合部材６に設けられた吊り戸体３の全開状態を保持する吊り戸体保持部６６と、上枠１５に設けられたロック解除部材８と、ロック解除部材８と係合部材６に連係して戸袋体２に設けられたロック部材９より構成されている。
ロック解除部材８は、下方に突出する解除用突部８１を有する逆Ｌ字形で、解除用突部８１が前記ロック部材９の室外側に近接して取付けられている。
【００２９】
ロック部材９は、戸袋体２の室外側に設けられた連結座９１と、連結座９１の室外側に一体的に形成された略コ字形のロック片保持座９２と、ロック片保持座９２に開閉方向の中心部が水平方向で揺動自在に保持された、上下突片９３１、９３２と垂直片９３３から形成されたロック片９３よりなり、ロック片９３は巻きバネ９４によって、常に出入口側の端部と連結座９１の出入口側の端部が当接する方向に回動力が与されている。
しかしながら、戸袋体２が閉鎖された通常使用の場合、前記解除用突部８１の室内側に、ロック片９３の戸尻側縦枠１３側の端部が連結座９１方向に押付けられて、ロック片９３の出入口側端部と連結座９１の室外側面との間に係合部材６のロック用突片６４が通過可能な通過用間隙９５が形成されている。
【００３０】
ロック部材９は、上記のように構成されているので、吊り戸体３が全閉された状態で、係合部材６のロック用突片６４はロック片９３の上突片９３１の上方に位置し（図１３に示す状態）、この状態から、戸袋体２が室内側に開放揺動すると、ロック部材９がロック解除部材８から離間するので、同時にロック片９３は巻きバネ９４によって出入口側の端部と連結座９１の出入口側の端部が当接し、通過用間隙９５を閉鎖する。
したがって、係合部材６のロック用突片６４はロック片９３の上突片９３１に当接するので、係合部材６は、図１０で反時計周りに回動することはなく、係合部材６の吊り戸体保持部６６が作動用ローラー４２の出入口側に位置した状態を維持し、吊り戸体３は戸袋体２に重合して保持された状態で、戸袋体2と共に開放揺動する。
【００３１】
そして、再び開放された戸袋体２を閉鎖すると、ロック片９３の戸尻側縦枠１３側の端部が解除用突部８１の室内側に押付けられて連結座９１方向に移動し、ロック片９３の出入口側端部と連結座９１の室外側面との間に係合部材６のロック用突片６４が通過可能な通過用間隙９５を形成するので、係合部材６は回動可能な状態となる。
したがって、全開ストッパー受け３３２と全開ストッパー３３１の係合に抗して、吊り戸体３を出入り口側にひきだすと、作動用ローラー４２が吊り戸体保持部６６を上方に回動移動させると同時にロック用突片６４は通過用間隙９５を下方に移動し、吊り戸体３の出入口側端部が戸袋体2より引き出されると、引張りバネ６７によって、常に、吊り戸体保持部６６が、作動用ローラー４２の通過位置より上方の水平位置で、回動用作動部６５が作動用ローラー４２に当接する位置となるよう維持され、係止突部６３は、下向き係止突部７１（係止部材７）の室外側に近接して位置するので、戸袋体２の落し錠２００、２００が開錠されていても、戸袋体２が室内側に開放揺動する事はない。
【図面の簡単な説明】
【００３２】
【図１】本発明の室外側からの正面図
【図２】本発明の室内側からの正面図
【図３】ランマパネルとランマパネルが位置する個所の化粧ボードを取り外した状態の室外側からの正面図
【図４】各部材の配置状態を示す要部拡大正面図
【図５】図１のA―A線要部拡大断面図
【図６】図１のB―B線要部拡大断面図
【図７】図１のC―C線要部拡大断面図
【図８】作動部材が係合部材に近接した状態の正面略図
【図９】図８の平面略図
【図１０】係合部材が作動部材を保持した状態の正面略図
【図１１】図１０の平面略図
【図１２】作動部材が係合部材に近接した状態の斜視図
【図１３】係合部材が作動部材を保持した状態の斜視図
【図１４】戸袋体が開放したときの係合部材と作動部材とロック部材の関係を示す斜視図
【図１５】戸袋体と吊り戸体が開放揺動した状態の要部平面図
【符号の説明】
【００３３】
１        引戸枠
１３      戸尻側縦枠
１４      戸先側縦枠
１５      上枠
１００    化粧ボード
２        戸袋体
３        吊り戸体
４        作動部材
６        係合部材
６０      開放防止装置
７        係止部材
７０     
飛び出し防止装置
８        ロック解除部材
９        ロック部材
【図１】
2008127974.tif 000003
【図２】
2008127974.tif 000004
【図３】
2008127974.tif 000005
【図４】
2008127974.tif 000006
【図５】
2008127974.tif 000007
【図６】
2008127974.tif 000008
【図７】
2008127974.tif 000009
【図８】
2008127974.tif 000010
【図９】
2008127974.tif 000011
【図１０】
2008127974.tif 000012
【図１１】
2008127974.tif 000013
【図１２】
2008127974.tif 000014
【図１３】
2008127974.tif 000015
【図１４】
2008127974.tif 000016
【図１５】
2008127974.tif 000017